(57)【特許請求の範囲】
【請求項１】
当り図柄及びはずれ図柄からなる複数種類の第１図柄の内の何れかの図柄を選択的に表示する第１図柄表示装置と、
当り図柄及びはずれ図柄からなる複数種類の第２図柄の内の何れかの図柄を選択的に表示する第２図柄表示装置と、
パチンコ球が第１始動入賞口に入賞したこと、又は第１始動ゲートを通過したことに基づいて当りかはずれかの抽選を行う第１当り抽選手段と、
該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、
前記第１図柄表示装置に当り図柄が停止表示された場合に所定時間だけ入り口が拡大する第２始動入賞口と、
パチンコ球が前記第２始動入賞口に入賞したことに基づいて当りかはずれかの抽選を行う第２当り抽選手段と、
該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、
前記第２図柄表示装置に当り図柄が停止表示された場合に所定時間だけ入り口が開く可変入賞口と、
前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、
前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、
を備えるパチンコ遊技機において、
前記第２図柄表示装置に当り図柄が停止表示された結果行われる大当り遊技の開始時点から終了時点までの間、前記第１当り抽選手段による抽選を禁止する抽選禁止手段と、
前記大当り遊技の終了時点で前記抽選禁止手段による抽選の禁止を解除して前記第１当り抽選手段による抽選を再開させる抽選再開手段と、
を備えることを特徴とするパチンコ遊技機。
【請求項２】
当り図柄及びはずれ図柄からなる複数種類の第１図柄の内の何れかの図柄を選択的に表示する第１図柄表示装置と、
当り図柄及びはずれ図柄からなる複数種類の第２図柄の内の何れかの図柄を選択的に表示する第２図柄表示装置と、
パチンコ球が第１始動入賞口に入賞したこと、又は第１始動ゲートを通過したことに基づいて当りかはずれかの抽選を行う第１当り抽選手段と、
該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、
前記第１図柄表示装置に当り図柄が停止表示された場合に所定時間だけ入り口が拡大する第２始動入賞口と、
パチンコ球が前記第２始動入賞口に入賞したことに基づいて当りかはずれかの抽選を行う第２当り抽選手段と、
該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、
前記第２図柄表示装置に当り図柄が停止表示された場合に所定時間だけ入り口が開く可変入賞口と、
前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、
前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、
を備えるパチンコ遊技機において、
前記第１図柄表示指令手段は、
前記第２図柄表示装置に当り図柄が停止表示された結果行われる大当り遊技の終了時点において前記第１図柄表示装置に第１図柄が変動表示されている場合には前記第１当り抽選手段による抽選結果に基づいて当り図柄又ははずれ図柄を強制的に停止表示させる変動表示強制停止指令手段を備えることを特徴とするパチンコ遊技機。
【請求項３】
前記第１図柄表示指令手段は、
前記変動表示強制停止指令手段が当り図柄又ははずれ図柄を強制的に停止表示させた後、前記第２図柄表示指令手段が前記第２図柄表示装置に第２図柄の変動表示を指令することに同期して前記第１図柄表示装置に第１図柄の変動表示を指令する第１図柄変動開始第１同期手段を備えることを特徴とする請求項２に記載のパチンコ遊技機。
【請求項４】
当り図柄及びはずれ図柄からなる複数種類の第１図柄の内の何れかの図柄を選択的に表示する第１図柄表示装置と、
当り図柄及びはずれ図柄からなる複数種類の第２図柄の内の何れかの図柄を選択的に表示する第２図柄表示装置と、
パチンコ球が第１始動入賞口に入賞したこと、又は第１始動ゲートを通過したことに基づいて当りかはずれかの抽選を行う第１当り抽選手段と、
該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、
前記第１図柄表示装置に当り図柄が停止表示された場合に所定時間だけ入り口が拡大する第２始動入賞口と、
パチンコ球が前記第２始動入賞口に入賞したことに基づいて当りかはずれかの抽選を行う第２当り抽選手段と、
該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、
前記第２図柄表示装置に当り図柄が停止表示された場合に所定時間だけ入り口が開く可変入賞口と、
前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、
前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、
を備えるパチンコ遊技機において、
前記第１図柄表示指令手段は、
前記第２図柄表示装置に当り図柄が停止表示された結果行われる大当り遊技の終了時点において前記第１図柄表示装置に第１図柄が変動表示されている場合には第１図柄の停止表示を行わずに第１図柄の変動表示を強制的に終了させる第１変動強制終了指令手段を備えることを特徴とするパチンコ遊技機。
【請求項５】
前記第１図柄表示指令手段は、
前記第１変動強制終了指令手段が第１図柄の停止表示を行わずに第１図柄の変動表示を強制的に終了させた後、前記第２図柄表示指令手段が前記第２図柄表示装置に第２図柄の変動表示を指令することに同期して前記第１図柄表示装置に第１図柄の変動表示を指令する第１図柄変動開始第２同期手段を備えることを特徴とする請求項４に記載のパチンコ遊技機。
【請求項６】
当り図柄及びはずれ図柄からなる複数種類の第１図柄の内の何れかの図柄を選択的に表示する第１図柄表示装置と、
当り図柄及びはずれ図柄からなる複数種類の第２図柄の内の何れかの図柄を選択的に表示する第２図柄表示装置と、
パチンコ球が第１始動入賞口に入賞したこと、又は第１始動ゲートを通過したことに基づいて当りかはずれかの抽選を行う第１当り抽選手段と、
該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、
前記第１図柄表示装置に当り図柄が停止表示された場合に所定時間だけ入り口が拡大する第２始動入賞口と、
パチンコ球が前記第２始動入賞口に入賞したことに基づいて当りかはずれかの抽選を行う第２当り抽選手段と、
該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、
前記第２図柄表示装置に当り図柄が停止表示された場合に所定時間だけ入り口が開く可変入賞口と、
前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、
前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、
を備えるパチンコ遊技機において、
前記第２図柄表示指令手段は、
前記第２図柄表示装置に当り図柄が停止表示された結果行われる大当り遊技の終了時点において前記第１図柄表示装置に第１図柄が変動表示されている場合には第１図柄の停止表示が行われた後、前記第１図柄表示指令手段が前記第１図柄表示装置に第１図柄の変動表示を指令することに同期して前記第２図柄表示装置に第２図柄の変動表示を指令する第２図柄変動開始同期手段を備えることを特徴とするパチンコ遊技機。
【請求項７】
前記第１図柄表示指令手段は、
前記第１図柄表示装置にて第１図柄の変動表示が開始されてから所定微小時間が経過する前に大当り遊技が終了する場合には、第１図柄の変動開始時点又は大当り遊技の終了時点から所定時間が経過した時点において前記第１当り抽選手段による抽選結果に基づいて当り図柄又ははずれ図柄を強制的に停止表示させる第２変動強制停止指令手段を備えることを特徴とする請求項６に記載のパチンコ遊技機。
【請求項８】
前記第２図柄表示装置に当り図柄が停止表示された際に予め定められた条件を満たしている場合に行われる大当り遊技が終了した後、前記第１当り抽選手段により当りが選択される確率又は前記第１図柄表示装置に第１図柄が変動表示される時間が変更された旨を報知する遊技設定変更報知手段を備えることを特徴とする請求項１乃至７の何れかに記載のパチンコ遊技機。
【発明の詳細な説明】
【０００１】
【発明の属する技術分野】
本発明は、図柄表示装置を２つ備えるパチンコ遊技機に関する。
【０００２】
【従来の技術、及び発明が解決しようとする課題】
従来、当り図柄及びはずれ図柄からなる複数種類の第１図柄の内の何れかの図柄を選択的に表示する第１図柄表示装置（例えば第１種パチンコ遊技機では普通図柄表示装置）と、当り図柄及びはずれ図柄からなる複数種類の第２図柄の内の何れかの図柄を選択的に表示する第２図柄表示装置（例えば第１種パチンコ遊技機では特別図柄表示装置）と、パチンコ球が第１始動入賞口（例えば第１種パチンコ遊技機では普通図柄始動入賞口）に入賞したこと、又は第１始動ゲート（例えば第１種パチンコ遊技機では普通図柄始動ゲート）を通過したことに基づいて当りかはずれかの抽選を行う第１当り抽選手段と、第１当り抽選手段により当りが選択された場合には第１図柄表示装置に第１図柄を所定時間変動表示させた後で当り図柄を停止表示させ、はずれが選択された場合には第１図柄表示装置に第１図柄を所定時間変動表示させた後ではずれ図柄を停止表示させる第１図柄表示指令手段と、第１図柄表示装置に当り図柄が停止表示された場合に所定時間だけ入り口が拡大する第２始動入賞口（例えば第１種パチンコ遊技機では特別図柄始動入賞口（電動チューリップ））と、パチンコ球が第２始動入賞口に入賞したことに基づいて当りかはずれかの抽選を行う第２当り抽選手段と、第２当り抽選手段により当りが選択された場合には第２図柄表示装置に第２図柄を所定時間変動表示させた後で当り図柄を停止表示させ、はずれが選択された場合には第２図柄表示装置に第２図柄を所定時間変動表示させた後ではずれ図柄を停止表示させる第２図柄表示指令手段と、第２図柄表示装置に当り図柄が停止表示された場合に所定時間だけ入り口が開く可変入賞口（例えば第１種パチンコ遊技機では大入賞口）と、第２図柄表示装置に当り図柄が停止表示された際に予め定められた条件を満たしている場合（例えば第１種パチンコ遊技機では特別図柄表示装置に特定大当り図柄が停止表示された場合）に、可変入賞口の入り口が所定時間だけ開く大当り遊技が終了した後、第１当り抽選手段により当りが選択される確率を高くする、又は第１図柄表示装置に第１図柄が変動表示される時間を短くする第１遊技設定変更手段と、第２図柄表示装置に当り図柄の内で予め定められた特定当り図柄が停止表示された場合に、可変入賞口の入り口が所定時間だけ開く大当り遊技が終了した後、第２当り抽選手段により当りが選択される確率を高くする、又は第２図柄表示装置に第２図柄が変動表示される時間を短くする第２遊技設定変更手段と、を備えるパチンコ遊技機が実用されている。
【０００３】
この種のパチンコ遊技機では、第２図柄表示装置に当り図柄が停止表示された際に予め定められた条件を満たしていると、大当り遊技が終了した後、第１当り抽選手段が当りを選択する確率が高くなる、又は第１図柄表示装置に第１図柄が変動表示される時間が短くなるので、第２始動入賞口の入り口が拡大し易くなり、その結果、第２始動入賞口にパチンコ球が入賞し易くなる。更に、第２当り抽選手段が当りを選択する確率が高くなる、又は第２図柄表示装置に第２図柄が変動表示される時間が短くなるので、大当り遊技が行われ易くなる。
【０００４】
具体的には、第２図柄表示装置については、大当り遊技の終了直後の時点で遊技設定が変更される。即ち、大当り遊技の終了直後の時点で、第２当り抽選手段が当りを選択する確率が高くなる、又は第２図柄表示装置に第２図柄が変動表示される時間が短くなる。尚、大当り遊技中は第２抽選手段による抽選は行われない。これに対し、第１図柄表示装置においては、大当り遊技中も、第１当り抽選手段による抽選が行われ、第１図柄表示指令手段による指令に基づいて、第１図柄表示装置において第１図柄の変動表示と停止表示とが繰り返し行われるので、大当り遊技の終了直前に第１図柄の変動表示が開始されると、大当り遊技の終了時点から第１図柄表示装置に第１図柄が停止表示されるまでには数秒間乃至数十秒間を要する（図５に示すタイミングチャート参照）。このため、第１図柄表示装置については、大当り遊技の終了直後の時点で遊技設定が変更されるのではなく、大当り遊技の終了時点において変動表示されている第１図柄が停止表示された直後の時点で遊技設定が変更される。即ち、大当り遊技の終了時点において変動表示されている第１図柄が停止表示された直後の時点で、第１当り抽選手段が当りを選択する確率が高くなる、又は第１図柄表示装置に第１図柄が変動表示される時間が短くなる。
【０００５】
この様に、従来のパチンコ遊技機においては、大当り遊技の終了直後は、第２図柄表示装置に関わる遊技設定が変更されていても、第１図柄表示装置に関わる遊技設定は変更されていない（第２始動入賞口の入り口が拡大し易くなっていない）期間があり、その間にパチンコ球を発射しても第２始動入賞口に入賞し難いので、パチンコ球を浪費することになる。このため、そのことを知っている遊技者は、大当り遊技終了後、第２図柄表示装置に第２図柄が変動表示されても、第１図柄表示装置に関わる遊技設定が変更されるまではパチンコ球を発射せず、パチンコ球を浪費しない様に遊技を行っている。
【０００６】
しかし、遊技者の中には、第１図柄表示装置に関わる遊技設定が変更される時期と第２図柄表示装置に関わる遊技設定が変更される時期との間にずれがあることを知らない者（初心者）も存在する。当然ながら、この様な遊技者は、大当り遊技終了後、第２図柄表示装置に関わる遊技設定が変更されてから第１図柄表示装置に関わる遊技設定が変更されるまでの間も闇雲にパチンコ球を発射してしまうので、不利益を被ってしまう。このため、遊技者に不公平感を抱かせてしまい、その結果、遊技意欲を減退させてしまうおそれもある。
【０００７】
そこで、本発明は、第２図柄表示装置に当り図柄が停止表示された際に予め定められた条件を満たしている場合に、大当り遊技が終了した後、第１図柄表示装置及び第２図柄表示装置に関わる遊技設定が変更されるパチンコ遊技機において、第１図柄表示装置に関わる遊技設定が変更される時期と第２図柄表示装置に関わる遊技設定が変更される時期との間にずれがあることによって遊技者が不利益を被る事態を回避することを目的とする。
【０００８】
【課題を解決するための手段、及び発明の効果】
この様な目的を達成するため、第１の発明にかかるパチンコ遊技機は、請求項１に記載されている様に、当り図柄及びはずれ図柄からなる複数種類の第１図柄の内の何れかの図柄を選択的に表示する第１図柄表示装置と、当り図柄及びはずれ図柄からなる複数種類の第２図柄の内の何れかの図柄を選択的に表示する第２図柄表示装置と、パチンコ球が第１始動入賞口に入賞したこと、又は第１始動ゲートを通過したことに基づいて当りかはずれかの抽選を行う第１当り抽選手段と、該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、前記第１図柄表示装置に当り図柄が停止表示された場合に所定時間だけ入り口が拡大する第２始動入賞口と、パチンコ球が前記第２始動入賞口に入賞したことに基づいて当りかはずれかの抽選を行う第２当り抽選手段と、該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、前記第２図柄表示装置に当り図柄が停止表示された場合に所定時間だけ入り口が開く可変入賞口と、前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、を備えるパチンコ遊技機において、前記第２図柄表示装置に当り図柄が停止表示された結果行われる大当り遊技の開始時点から終了時点までの間、前記第１当り抽選手段による抽選を禁止する抽選禁止手段と、前記大当り遊技の終了時点で前記抽選禁止手段による抽選の禁止を解除して前記第１当り抽選手段による抽選を再開させる抽選再開手段と、を備えることを特徴とする。
【０００９】
本発明にかかるパチンコ遊技機においては、従来と同様に、第２図柄表示装置に当り図柄が停止表示された際に予め定められた条件を満たしていると、大当り遊技が終了した後、第１当り抽選手段により当りが選択される確率が高くなる、又は第１図柄表示装置に第１図柄が変動表示される時間が短くなると共に、第２当り抽選手段により当りが選択される確率が高くなる、又は第２図柄表示装置に第２図柄が変動表示される時間が短くなる様に構成されている。そして、第２当り抽選手段により当りが選択される確率又は第２図柄表示装置に第２図柄が変動表示される時間は、大当り遊技の終了直後の時点で変更される。
【００１０】
一方、本発明にかかるパチンコ遊技機は、第２図柄表示装置に当り図柄が停止表示された際に予め定められた条件を満たしていると、その結果行われる大当り遊技の開始時点から終了時点までの間、抽選禁止手段が、第１当り抽選手段による抽選を禁止し、大当り遊技の終了時点で、抽選再開手段が、抽選禁止手段による抽選の禁止を解除して第１当り抽選手段による抽選を再開させる様に構成されている。即ち、第１当り抽選手段による次の当り抽選は、大当り遊技の終了直後の時点で行われる様に構成されている。このため、第１当り抽選手段により当りが選択される確率又は第１図柄表示装置に第１図柄が変動表示される時間は、大当り遊技の終了直後の時点で変更される。
【００１１】
従って、本発明にかかるパチンコ遊技機においては、第１図柄表示装置に関わる遊技設定が変更される時期と第２図柄表示装置に関わる遊技設定が変更される時期とを略一致させることができるので、大当り遊技終了後、第２図柄表示装置において第２図柄の変動表示が開始された時点でパチンコ球を発射すれば、不利益を被ることはない。従って、遊技者に不公平感を抱かせることがないので、遊技意欲を減退させてしまうおそれもない。
【００１２】
又、第２の発明にかかるパチンコ遊技機は、請求項２に記載されている様に、当り図柄及びはずれ図柄からなる複数種類の第１図柄の内の何れかの図柄を選択的に表示する第１図柄表示装置と、当り図柄及びはずれ図柄からなる複数種類の第２図柄の内の何れかの図柄を選択的に表示する第２図柄表示装置と、パチンコ球が第１始動入賞口に入賞したこと、又は第１始動ゲートを通過したことに基づいて当りかはずれかの抽選を行う第１当り抽選手段と、該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、前記第１図柄表示装置に当り図柄が停止表示された場合に所定時間だけ入り口が拡大する第２始動入賞口と、パチンコ球が前記第２始動入賞口に入賞したことに基づいて当りかはずれかの抽選を行う第２当り抽選手段と、該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、前記第２図柄表示装置に当り図柄が停止表示された場合に所定時間だけ入り口が開く可変入賞口と、前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、を備えるパチンコ遊技機において、前記第１図柄表示指令手段は、前記第２図柄表示装置に当り図柄が停止表示された結果行われる大当り遊技の終了時点において前記第１図柄表示装置に第１図柄が変動表示されている場合には前記第１当り抽選手段による抽選結果に基づいて当り図柄又ははずれ図柄を強制的に停止表示させる変動表示強制停止指令手段を備えることを特徴とする。
【００１３】
本発明にかかるパチンコ遊技機においても、従来と同様に、第２図柄表示装置に関わる遊技設定は、大当り遊技の終了直後の時点で変更される。
一方、本発明にかかるパチンコ遊技機は、第２図柄表示装置に当り図柄が停止表示された際に予め定められた条件を満たしている場合には、その結果行われる大当り遊技の終了時点において第１図柄表示装置に第１図柄が変動表示されていると、変動表示強制停止指令手段が、第１当り抽選手段による抽選結果に基づいて当り図柄又ははずれ図柄を強制的に停止表示させる様に構成されている。即ち、第１当り抽選手段による次の当り抽選は、大当り遊技の終了直後の時点で行われる様に構成されている。このため、第１図柄表示装置に関わる遊技設定も、大当り遊技の終了直後の時点で変更される。
【００１４】
従って、本発明にかかるパチンコ遊技機においては、第１の発明にかかるパチンコ遊技機と同様に、第１図柄表示装置に関わる遊技設定が変更される時期と第２図柄表示装置に関わる遊技設定が変更される時期とを略一致させることができるので、大当り遊技終了後、第２図柄表示装置において第２図柄の変動表示が開始された時点でパチンコ球を発射すれば、不利益を被ることはない。従って、遊技者に不公平感を抱かせることがないので、遊技意欲を減退させてしまうおそれもない。
【００１５】
又、請求項３に記載されている様に、第２の発明にかかるパチンコ遊技機において、前記第１図柄表示指令手段は、前記変動表示強制停止指令手段が当り図柄又ははずれ図柄を強制的に停止表示させた後、前記第２図柄表示指令手段が前記第２図柄表示装置に第２図柄の変動表示を指令することに同期して前記第１図柄表示装置に第１図柄の変動表示を指令する第１図柄変動開始第１同期手段を備えていると良い。
【００１６】
本発明にかかるパチンコ遊技機がこの様に構成されている場合には、第１図柄表示装置に関わる遊技設定が変更される時期と第２図柄表示装置に関わる遊技設定が変更される時期とを完全に一致させることができるので、更に良い。
又、第３の発明にかかるパチンコ遊技機は、請求項４に記載されている様に、当り図柄及びはずれ図柄からなる複数種類の第１図柄の内の何れかの図柄を選択的に表示する第１図柄表示装置と、当り図柄及びはずれ図柄からなる複数種類の第２図柄の内の何れかの図柄を選択的に表示する第２図柄表示装置と、パチンコ球が第１始動入賞口に入賞したこと、又は第１始動ゲートを通過したことに基づいて当りかはずれかの抽選を行う第１当り抽選手段と、該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、前記第１図柄表示装置に当り図柄が停止表示された場合に所定時間だけ入り口が拡大する第２始動入賞口と、パチンコ球が前記第２始動入賞口に入賞したことに基づいて当りかはずれかの抽選を行う第２当り抽選手段と、該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、前記第２図柄表示装置に当り図柄が停止表示された場合に所定時間だけ入り口が開く可変入賞口と、前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、を備えるパチンコ遊技機において、前記第１図柄表示指令手段は、前記第２図柄表示装置に当り図柄が停止表示された結果行われる大当り遊技の終了時点において前記第１図柄表示装置に第１図柄が変動表示されている場合には第１図柄の停止表示を行わずに第１図柄の変動表示を強制的に終了させる第１変動強制終了指令手段を備えることを特徴とする。
【００１７】
本発明にかかるパチンコ遊技機においても、従来と同様に、第２図柄表示装置に関わる遊技設定は、大当り遊技の終了直後の時点で変更される。
一方、本発明にかかるパチンコ遊技機は、第２図柄表示装置に当り図柄が停止表示された際に予め定められた条件を満たしている場合には、その結果行われる大当り遊技の終了時点において第１図柄表示装置に第１図柄が変動表示されていると、第１変動強制終了指令手段が、第１図柄の停止表示を行わずに第１図柄の変動表示を強制的に終了させる様に構成されている。即ち、第１当り抽選手段による次の当り抽選は、大当り遊技の終了直後の時点で行われる様に構成されている。このため、第１図柄表示装置に関わる遊技設定も、大当り遊技の終了直後の時点で変更される。
【００１８】
従って、本発明にかかるパチンコ遊技機においては、第１及び第２の発明にかかるパチンコ遊技機と同様に、第１図柄表示装置に関わる遊技設定が変更される時期と第２図柄表示装置に関わる遊技設定が変更される時期とを略一致させることができるので、大当り遊技終了後、第２図柄表示装置において第２図柄の変動表示が開始された時点でパチンコ球を発射すれば、不利益を被ることはない。従って、遊技者に不公平感を抱かせることがないので、遊技意欲を減退させてしまうおそれもない。
【００１９】
又、請求項５に記載されている様に、第３の発明にかかるパチンコ遊技機において、前記第１図柄表示指令手段は、前記第１変動強制終了指令手段が第１図柄の停止表示を行わずに第１図柄の変動表示を強制的に終了させた後、前記第２図柄表示指令手段が前記第２図柄表示装置に第２図柄の変動表示を指令することに同期して前記第１図柄表示装置に第１図柄の変動表示を指令する第１図柄変動開始第２同期手段を備えていると良い。
【００２０】
本発明にかかるパチンコ遊技機がこの様に構成されている場合には、第１図柄表示装置に関わる遊技設定が変更される時期と第２図柄表示装置に関わる遊技設定が変更される時期とを完全に一致させることができるので、更に良い。
又、第４の発明にかかるパチンコ遊技機は、請求項６に記載されている様に、当り図柄及びはずれ図柄からなる複数種類の第１図柄の内の何れかの図柄を選択的に表示する第１図柄表示装置と、当り図柄及びはずれ図柄からなる複数種類の第２図柄の内の何れかの図柄を選択的に表示する第２図柄表示装置と、パチンコ球が第１始動入賞口に入賞したこと、又は第１始動ゲートを通過したことに基づいて当りかはずれかの抽選を行う第１当り抽選手段と、該第１当り抽選手段により当りが選択された場合には前記第１図柄表示装置に第１図柄を所定時間変動表示させた後で当り図柄を停止表示させ、はずれが選択された場合には前記第１図柄表示装置に第１図柄を所定時間変動表示させた後ではずれ図柄を停止表示させる第１図柄表示指令手段と、前記第１図柄表示装置に当り図柄が停止表示された場合に所定時間だけ入り口が拡大する第２始動入賞口と、パチンコ球が前記第２始動入賞口に入賞したことに基づいて当りかはずれかの抽選を行う第２当り抽選手段と、該第２当り抽選手段により当りが選択された場合には前記第２図柄表示装置に第２図柄を所定時間変動表示させた後で当り図柄を停止表示させ、はずれが選択された場合には前記第２図柄表示装置に第２図柄を所定時間変動表示させた後ではずれ図柄を停止表示させる第２図柄表示指令手段と、前記第２図柄表示装置に当り図柄が停止表示された場合に所定時間だけ入り口が開く可変入賞口と、前記第２図柄表示装置に当り図柄が停止表示された際に予め定められた条件を満たしている場合に、前記可変入賞口の入り口が所定時間だけ開く大当り遊技が終了した後、前記第１当り抽選手段により当りが選択される確率を高くする、又は前記第１図柄表示装置に第１図柄が変動表示される時間を短くする第１遊技設定変更手段と、前記第２図柄表示装置に当り図柄が停止表示された際に予め定められた条件を満たしている場合に、前記可変入賞口の入り口が所定時間だけ開く大当り遊技が終了した後、前記第２当り抽選手段により当りが選択される確率を高くする、又は前記第２図柄表示装置に第２図柄が変動表示される時間を短くする第２遊技設定変更手段と、を備えるパチンコ遊技機において、前記第２図柄表示指令手段は、前記第２図柄表示装置に当り図柄が停止表示された結果行われる大当り遊技の終了時点において前記第１図柄表示装置に第１図柄が変動表示されている場合には第１図柄の停止表示が行われた後、前記第１図柄表示指令手段が前記第１図柄表示装置に第１図柄の変動表示を指令することに同期して前記第２図柄表示装置に第２図柄の変動表示を指令する第２図柄変動開始同期手段を備えることを特徴とする。
【００２１】
本発明にかかるパチンコ遊技機は、従来と同様に、第２図柄表示装置に当り図柄が停止表示された際に予め定められた条件を満たしていると、その結果行われる大当り遊技中、第１当り抽選手段による当り抽選が行われ、第１図柄表示指令手段による指令に基づいて、第１図柄表示装置において第１図柄の変動表示と停止表示とが繰り返し行われる様に構成されている。そして、第１図柄表示装置に関わる遊技設定は、大当り遊技の終了時点において変動表示されている第１図柄が停止表示された直後の時点で変更される。
【００２２】
一方、本発明にかかるパチンコ遊技機は、第２図柄表示装置に当り図柄が停止表示された際に予め定められた条件を満たしていると、その結果行われる大当り遊技の終了時点において変動表示されている第１図柄が停止表示された後、第１図柄表示指令手段が第１図柄表示装置に第１図柄の変動表示を指令することに同期して、第２図柄表示指令手段に備えられる第２図柄変動開始同期手段が、第２図柄表示装置に第２図柄の変動表示を指令する様に構成されている。このため、第１図柄表示装置に関わる遊技設定が変更される時期と第２図柄表示装置に関わる遊技設定が変更される時期とを一致させることができるので、大当り遊技終了後、第２図柄表示装置において第２図柄の変動表示が開始された時点でパチンコ球を発射すれば、不利益を被ることはない。従って、遊技者に不公平感を抱かせることがないので、遊技意欲を減退させてしまうおそれもない。
【００２３】
ところで、第４の発明にかかるパチンコ遊技機においては、第１図柄表示装置に関わる遊技設定が変更される時期と第２図柄表示装置に関わる遊技設定が変更される時期とを一致させることはできるが、大当り遊技の終了直前に第１図柄表示装置において第１図柄の変動表示が開始された場合には、大当り遊技の終了時点から数秒間乃至数十秒間経過した時点で、第１図柄表示装置及び第２図柄表示装置に関わる遊技設定が変更されることになるので、待ち時間が長い。
【００２４】
そこで、請求項７に記載されている様に、第４の発明にかかるパチンコ遊技機において、前記第１図柄表示指令手段は、前記第１図柄表示装置にて第１図柄の変動表示が開始されてから所定微小時間が経過する前に大当り遊技が終了する場合には、第１図柄の変動開始時点又は大当り遊技の終了時点から所定時間が経過した時点において前記第１当り抽選手段による抽選結果に基づいて当り図柄又ははずれ図柄を強制的に停止表示させる第２変動強制停止指令手段を備えていると良い。
【００２５】
本発明にかかるパチンコ遊技機がこの様に構成されている場合には、第１図柄表示装置において第１図柄の変動表示が開始されてから所定微小時間（例えば０．５秒間）が経過する前に大当り遊技が終了する場合、即ち、大当り遊技の終了直前に第１図柄の変動表示が開始された場合には、第１図柄の変動開始時点又は大当り遊技の終了時点から所定時間（例えば１秒間）が経過した時点において、第１図柄表示装置において当り図柄又ははずれ図柄が強制的に停止表示される。従って、大当り遊技が終了した後、速やかに、第１図柄表示装置及び第２図柄表示装置に関わる遊技設定が変更される。
【００２６】
又、請求項８に記載されている様に、第１、第２、第３及び第４の発明にかかるパチンコ遊技機は、前記第２図柄表示装置に当り図柄が停止表示された際に予め定められた条件を満たしている場合に行われる大当り遊技が終了した後、前記第１当り抽選手段により当りが選択される確率又は前記第１図柄表示装置に第１図柄が変動表示される時間が変更された旨を報知する遊技設定変更報知手段を備えていると良い。
【００２７】
第１、第２、第３及び第４の発明にかかるパチンコ遊技機がこの様に構成されている場合には、遊技者は、報知内容に従って適切な時期からパチンコ球を発射することができるので、遊技者の遊技意欲を向上させることができる。
【００３２】
尚、第１、第２、第３、及び第４の発明にかかるパチンコ遊技機において、第１当り抽選手段による当り抽選は、パチンコ球が第１始動入賞口に入賞した時点又は第１始動ゲートを通過した時点において乱数を取得し、第１図柄変動表示装置における第１図柄の変動表示の開始時点以後の時点（例えば変動表示の開始直後の時点）において、乱数と予め設定されている当り値とを比較して当りか否かを判断する様に構成されていても良いし、第１図柄変動表示装置における第１図柄の変動表示の開始時点以降の時点で乱数を取得すると共に当りか否かを判断する様に構成されていても良い。又、第２当り抽選手段による当り抽選も同様に、パチンコ球が第２始動入賞口に入賞した時点において乱数を取得し、第２図柄変動表示装置における第２図柄の変動表示の開始時点以後の時点において、乱数と予め設定されている当り値とを比較して当りか否かを判断する様に構成されていても良いし、第２図柄変動表示装置における第２図柄の変動表示の開始時点以降の時点において乱数を取得すると共に当りか否かを判断する様に構成されていても良い。
【００３３】
又、第１、第２、第３、及び第４の発明にかかるパチンコ遊技機において、大当り遊技とは、可変入賞口の開放が開始されてから可変入賞口の開放が終了されるまでの間であっても良いし、「やったー」「大当りＧＥＴ」等の文字や大当り遊技の開始を報知するための特殊な画像が表示される所謂大当り開始インターバル表示が開始されてから、可変入賞口の開放が開始され、可変入賞口の開放が終了され、「大当り終了です」「またがんばって」「まだまだこれから」等の文字や大当り遊技の終了を報知するための特殊な画像が表示される所謂大当り終了インターバル表示が終了されるまでの間であっても良い。
【００３４】
【発明の実施の形態】
以下、本発明の実施例を図面に基づいて説明する。
［第１実施例］
まず、本実施例のパチンコ遊技機の構成について説明する。
【００３５】
図１は、本実施例のパチンコ遊技機の構成を説明するための正面図であり、図２は、パチンコ遊技機の主要部分の回路構成を説明するためのブロック図である。
本実施例のパチンコ遊技機１は、図１及び図２に示す様に、普通図柄始動ゲート１１，１３と、普通図柄表示装置１５と、電動チューリップ１７と、特別図柄表示装置１９と、大入賞口２１と、マイクロコンピュータ３０と、を備える。
【００３６】
普通図柄始動ゲート１１，１３は、パチンコ球が通過したことを検出するための普通図柄始動ゲート通過センサ１１ｓ，１３ｓを備える。
普通図柄表示装置１５は、当り図柄及びはずれ図柄からなる複数の普通図柄の内の何れかの図柄を選択的に表示するためのものである。具体的には、普通図柄表示装置１５は７セグメント表示器であり、当り図柄とは７のことであり、はずれ図柄とは０，１，２，３，４，５，６，８，９のことである。
【００３７】
電動チューリップ１７は、入り口を拡大させるための電動チューリップ拡大アクチュエータ１７ａと、パチンコ球が入賞したことを検出するための電動チューリップ入賞センサ１７ｓと、を備え、普通図柄表示装置１５に当り図柄（７）が表示された場合に所定時間だけ電動チューリップ拡大アクチュエータ１７ａが作動して入り口が拡大する様に構成されている。
【００３８】
特別図柄表示装置１９は、大当り図柄及びはずれ図柄からなる複数の特別図柄の内の何れかの図柄を選択的に表示するためのものである。具体的には、特別図柄表示装置１９は液晶ディスプレイである。
大入賞口２１は、入り口を開口させるための大入賞口開口アクチュエータ２１ａと、パチンコ球が入賞したことを検出するための大入賞口入賞センサ２１ｓと、を備え、特別図柄表示装置１９に大当り図柄が停止表示された場合に所定時間だけ大入賞口開口アクチュエータ２１ａが作動して入り口が開口する様に構成されている。
【００３９】
マイクロコンピュータ３０は、各種演算制御処理を行うＣＰＵ３１と、ＣＰＵ３１の処理手順等を記憶するＲＯＭ３３と、ＣＰＵ３１の処理結果等を一時的に記憶するＲＡＭ３５と、センサ１１ｓ，１３ｓ，１７ｓ，２１ｓによる検出内容をＣＰＵ３１に供給すると共にＣＰＵ３１による処理結果を普通図柄表示装置１５，電動チューリップ拡大アクチュエータ１７ａ，特別図柄表示装置１９，大入賞口開口アクチュエータ２１ａに供給するための入出力インタフェース３７とを備える。
【００４０】
続いて、本実施例のパチンコ遊技機の作用について説明する。
まず、図示しない電源装置からパチンコ遊技機１に電力が供給されると、ＣＰＵ３１は、初期設定処理等を行う。
そして、ＣＰＵ３１は、普通図柄始動ゲート通過センサ１１ｓ，１３ｓによりパチンコ球の通過が検出されているか否かを判断し、普通図柄始動ゲート通過センサ１１ｓ，１３ｓによりパチンコ球の通過が検出される毎に、ＲＡＭ３５内の通過記憶カウンタの値を最大４まで１ずつ増加させる。一方、後述する当り抽選が行われる毎に、通過記憶カウンタの値を最小０まで１ずつ減少させる。
【００４１】
又、ＣＰＵ３１は、電動チューリップ入賞センサ１７ｓによりパチンコ球の入賞が検出されているか否かを判断し、電動チューリップ入賞センサ１７ｓによりパチンコ球の入賞が検出される毎に、ＲＡＭ３５内の入賞記憶カウンタの値を最大４まで１ずつ増加させる。一方、後述する大当り抽選が行われる毎に、入賞記憶カウンタの値を最小０まで１ずつ減少させる。
【００４２】
そして、ＣＰＵ３１は、これらの処理と並行して、図３に示す処理を行う。
この処理が開始されると、ＣＰＵ３１は、通過記憶があるか否か、即ち、通過記憶カウンタの値が正であるか否かを判断する（Ｓ１０）。そして、通過記憶がある場合、即ち、通過記憶カウンタの値が正である場合には（Ｓ１０において「ＹＥＳ」）、大当り遊技中であるか否かを判断する（Ｓ１１）。そして、大当り遊技中でない場合には（Ｓ１１において「ＮＯ」）、普通図柄表示装置１５に普通図柄を変動表示させる（Ｓ１２）と共に、普通図柄始動ゲート通過センサ１１ｓ，１３ｓによる検出タイミング等に基づいて当り抽選を行う、即ち、所定の割合で当りかはずれかを抽選する（Ｓ１３）。
【００４３】
そして、当り抽選の結果当りが選択された場合には（Ｓ１４において「ＹＥＳ」）、普通図柄表示装置１５に当り図柄を表示させ（Ｓ１８）、電動チューリップ拡大アクチュエータ１７ａを駆動して電動チューリップ１７の入り口を拡大させ（Ｓ２０）、拡大させてから所定時間経過した時点で、電動チューリップ拡大アクチュエータ１７ａの駆動を終了して電動チューリップ１７の入り口を縮小させる（Ｓ２２）。そして、Ｓ４０に進む。
【００４４】
一方、抽選の結果はずれが選択された場合には（Ｓ１４において「ＮＯ」）、普通図柄表示装置１５にはずれ図柄を表示させる（Ｓ３４）。そして、Ｓ４０に進む。
又、通過記憶がない、即ち、通過記憶カウンタの値が０である場合には（Ｓ１０において「ＮＯ」）、Ｓ１１乃至Ｓ３４の処理を行わずにＳ４０に進む。同様に、大当り遊技中である場合には（Ｓ１１において「ＮＯ」）、Ｓ１２乃至Ｓ３４の処理を行わずにＳ４０に進む。
【００４５】
次に、ＣＰＵ３１は、入賞記憶があるか否か、即ち、入賞記憶カウンタの値が正であるか否かを判断する（Ｓ４０）。そして、入賞記憶がある場合、即ち、入賞記憶カウンタの値が正である場合には（Ｓ４０において「ＹＥＳ」）、特別図柄表示装置１９に特別図柄を変動表示させる（Ｓ４２）と共に、電動チューリップ入賞センサ１７ｓによる検出タイミング等に基づいて所定の割合で大当りかはずれかを抽選する（Ｓ４３）。
【００４６】
そして、抽選の結果大当りが選択された場合には（Ｓ４４において「ＹＥＳ」）、特別図柄表示装置１９に大当り図柄を停止表示させる（Ｓ４６）。そして、特別図柄表示装置１９に大当り開始インターバル表示を行わせ、その後、大入賞口開口アクチュエータ２１ａを駆動して大入賞口２１を所定時間開口させる動作を所定回数繰り返す。
【００４７】
そして、Ｓ４６において特別図柄表示装置１９に停止表示させた大当り図柄が予め定められている特定大当り図柄でない場合には（Ｓ４８において「ＮＯ」）、確率変動フラグＦに０を代入し（Ｓ５０）、Ｓ４６において特別図柄表示装置１９に停止表示させた大当り図柄が特定大当り図柄である場合には（Ｓ４８において「ＹＥＳ」）、確率変動フラグＦに１を代入する（Ｓ５２）。その後、特別図柄表示装置１９に大当り終了インターバル表示を行わせる。そして、Ｓ１０に戻って処理を繰り返す。
【００４８】
尚、特別図柄表示装置１９に大当り開始インターバル表示を行わせ、その後、大入賞口開口アクチュエータ２１ａを駆動して大入賞口２１を所定時間開口させる動作を所定回数繰り返し、その後、特別図柄表示装置１９に大当り終了インターバル表示を行わせる一連の処理（以下、「大当り遊技処理」という。）のフローチャートは省略する。
【００４９】
一方、抽選の結果はずれが選択された場合には（Ｓ４４において「ＮＯ」）、特別図柄表示装置１９にはずれ図柄を停止表示させる（Ｓ５４）。そして、Ｓ１０に戻って処理を繰り返す。
又、電動チューリップ入賞センサ１７ｓによりパチンコ球の入賞が検出されていない場合には（Ｓ４０において「ＮＯ」）、Ｓ４２乃至Ｓ５４の処理を行わずにＳ１０に戻って処理を繰り返す。
【００５０】
尚、大当り遊技中はＳ４０以降の処理を行わない様に構成されているが、フローチャートは省略する。
又、この一連の処理と並行して、特別図柄表示装置１９に特定大当り図柄が停止表示された結果行われる大当り遊技が終了すると、Ｓ１３の当り抽選において当りが選択される確率及びＳ４２の大当り抽選において大当りが選択される確率が高くなった旨及び普通図柄が変動表示される時間及び特別図柄が変動表示される時間が短くなった旨を特別図柄表示装置１９に表示させる処理を行う様に構成されているが、フローチャートは省略する。
【００５１】
尚、Ｓ１３の当り抽選において当りが選択される確率は、確率変動フラグＦがセットされていない（Ｆ＝０）場合には１０／３１であり、確率変動フラグＦがセットされている（Ｆ＝１）場合には２８／３１である。又、Ｓ４３の大当り抽選において大当りが選択される確率は、確率変動フラグＦがセットされていない（Ｆ＝０）場合には１／３１９であり、確率変動フラグＦがセットされている（Ｆ＝１）場合には５／３１９である。又、普通図柄表示装置１５に普通図柄が変動表示されてから当り図柄又ははずれ図柄が停止表示されるまでの時間は、確率変動フラグＦがセットされていない（Ｆ＝０）場合には２０秒間であり、確率変動フラグＦがセットされている（Ｆ＝１）場合には５．４秒間である。又、電動チューリップ１７の入り口が拡大してから縮小するまでの時間は、確率変動フラグＦがセットされていない（Ｆ＝０）場合には０．５秒間であり、確率変動フラグＦがセットされている（Ｆ＝１）場合には３．５秒間である。
【００５２】
続いて、本実施例のパチンコ遊技機において実際に遊技を行った場合の具体的な動作態様について説明する。
遊技者が遊技を開始して、パチンコ球が普通図柄始動ゲート１１を通過して通過記憶カウンタの値が正になると、Ｓ１０において「ＹＥＳ」となる。大当り遊技中ではないのでＳ１１において「ＮＯ」となり、Ｓ１２において普通図柄の変動表示が開始され、Ｓ１３においてパチンコ球が通過したタイミング等に基づいて当り抽選が行われる。そして、抽選の結果はずれとなった場合には、Ｓ１４において「ＮＯ」となり、Ｓ３４において普通図柄表示装置１５にはずれ図柄が表示される。一方、抽選の結果当りとなった場合には、Ｓ１４において「ＹＥＳ」となり、Ｓ１８において普通図柄表示装置１５に当り図柄が停止表示され、電動チューリップ１７の入り口が所定時間だけ拡大する。
【００５３】
そして、パチンコ球が電動チューリップ１７に入賞すると、Ｓ４０において「ＹＥＳ」となり、Ｓ４３においてパチンコ球が入賞したタイミング等に基づいて大当り抽選が行われる。抽選の結果はずれとなった場合には、Ｓ４４において「ＮＯ」となり、Ｓ５４において特別図柄表示装置１９にはずれ図柄が表示される。
【００５４】
一方、抽選の結果大当りとなった場合には、Ｓ４４において「ＹＥＳ」となり、Ｓ４６において特別図柄表示装置１９に大当り図柄が停止表示され、大当り遊技処理が行われる。そして、Ｓ４６において特別図柄表示装置１９に表示された大当り図柄が特定大当り図柄でなければ、Ｓ４８において「ＮＯ」となり、Ｓ５０において確率変動フラグＦの値が０になる。一方、Ｓ４６において特別図柄表示装置１９に表示された大当り図柄が特定大当り図柄であれば、Ｓ４８において「ＹＥＳ」となり、Ｓ５２において確率変動フラグＦの値が１になる。
【００５５】
大当り遊技処理が行われている間は、Ｓ１１において「ＹＥＳ」となるので、Ｓ１２乃至Ｓ３４の処理、即ち、当り抽選、普通図柄の変動表示及び停止表示等の処理は行われない（図５に示すタイミングチャート参照）。
そして、大当り遊技が終了すると、Ｓ１１において「ＮＯ」となるので、Ｓ１２乃至Ｓ３４の処理、即ち、当り抽選、普通図柄の変動表示及び停止表示等の処理が行われる様になると共に、特に確率変動フラグＦの値が１である場合には、Ｓ１３の当り抽選において当りが選択される確率及びＳ４３の大当り抽選において大当りが選択される確率が高くなった旨及び普通図柄が変動表示される時間及び特別図柄が変動表示される時間が短くなった旨が特別図柄表示装置１９に表示される。
【００５６】
又、大当り遊技が終了すると、確率変動フラグＦがセットされているか否かに応じて、Ｓ１３の当り抽選において当りが選択される確率、Ｓ４３の大当り抽選において大当りが選択される確率、普通図柄表示装置１５に普通図柄が変動表示されてから当り図柄又ははずれ図柄が停止表示されるまでの時間、電動チューリップ１７の入り口が拡大してから縮小するまでの時間が変化する。
【００５７】
尚、本実施例において、普通図柄始動ゲート１１，１３が前述の第１始動ゲートに相当し、電動チューリップ１７が前述の第２始動入賞口に相当し、フローチャートのＳ１３の処理が前述の第１当り抽選手段の作用に相当し、Ｓ１８及びＳ３４の処理が前述の第１図柄表示指令手段の作用に相当し、Ｓ４３の処理が前述の第２当り抽選手段の作用に相当し、Ｓ４６及びＳ５４の処理が前述の第２図柄表示指令手段の作用に相当し、確率変動フラグＦの値が１である場合にＳ１３の当り抽選において当りが選択される確率を高くする処理及び普通図柄の変動時間を短くする処理が前述の第１遊技設定変更手段の作用に相当し、確率変動フラグＦの値が１である場合にＳ４３の大当り抽選において大当りが選択される確率を高くする処理及び特別図柄の変動時間を短くする処理が前述の第２遊技設定変更手段の作用に相当し、Ｓ１１において「ＹＥＳ」である場合にＳ１２乃至Ｓ３４の処理を行わない様にする処理が前述の抽選禁止手段及び抽選再開手段の作用に相当し、特別図柄表示装置１９に特定大当り図柄が停止表示された結果行われる大当り遊技が終了すると、Ｓ１３の当り抽選において当りが選択される確率及びＳ４３の大当り抽選において大当りが選択される確率が高くなった旨及び普通図柄が変動表示される時間及び特別図柄が変動表示される時間が短くなった旨を特別図柄表示装置１９に表示させる処理が前述の遊技設定変更報知手段の作用に相当する。
【００５８】
続いて、本実施例のパチンコ遊技機の効果について説明する。
本実施例のパチンコ遊技機１は、大当り遊技中はＳ１２乃至Ｓ３４の処理を行わない様に構成されているので、普通図柄表示装置１５に関わる遊技設定（Ｓ１３の当り抽選において当りが選択される確率及び普通図柄が変動表示される時間）は、実質的に、大当り遊技の終了直後の時点で変更される（図５に示すタイミングチャート参照）。従って、普通図柄表示装置１５に関わる遊技設定が変更される時期（Ｓ１３の当り抽選において当りが選択される確率が高くなると共に普通図柄が変動表示される時間が短くなる時期）と特別図柄表示装置１９に関わる遊技設定が変更される時期（Ｓ４３の大当り抽選において大当りが選択される確率が高くなると共に特別図柄が変動表示される時間が短くなる時期）とを略一致させることができるので、大当り遊技終了後、特別図柄表示装置１９に特別図柄が変動表示された時点でパチンコ球を発射すれば、不利益を被ることはない。従って、遊技者に不公平感を抱かせることがないので、遊技意欲を減退させてしまうおそれもない。
【００５９】
又、特別図柄表示装置１９に特定大当り図柄が停止表示された結果行われる大当り遊技が終了すると、Ｓ１３の当り抽選において当りが選択される確率及びＳ４３の大当り抽選において大当りが選択される確率が高くなった旨及び普通図柄が変動表示される時間及び特別図柄が変動表示される時間が短くなった旨が特別図柄表示装置１９に表示される様に構成されているので、遊技者は、報知内容に従って適切な時期からパチンコ球を発射することができる。従って、遊技者の遊技意欲を向上させることができる。
【００６０】
［第２実施例］
本実施例のパチンコ遊技機は、図３に示す処理の代わりに図４に示す処理が行われる点を除いて、構成及び作用は第１実施例と同様であるので、第１実施例との相違点のみ説明する。
【００６１】
図４に示す処理が開始されると、ＣＰＵ３１は、通過記憶があるか否か、即ち、通過記憶カウンタの値が正であるか否かを判断する（Ｓ１１０）。そして、通過記憶がある場合、即ち、通過記憶カウンタの値が正である場合には（Ｓ１１０において「ＹＥＳ」）、普通図柄表示装置１５に普通図柄を変動表示させる（Ｓ１１２）と共に、普通図柄始動ゲート通過センサ１１ｓ，１３ｓによる検出タイミング等に基づいて当り抽選を行う、即ち、所定の割合で当りかはずれかを抽選する（Ｓ１１３）。
【００６２】
そして、当り抽選の結果当りが選択された場合には（Ｓ１１４において「ＹＥＳ」）、大当り遊技の終了直前であるか否か、具体的には、大当り遊技終了までの残り時間が、普通図柄が停止表示されるまでに要する時間よりも短いか否かを判断する（Ｓ１１５）。そして、大当り遊技の終了直前でない場合には（Ｓ１１５において「ＮＯ」）、普通図柄の変動表示を開始した時点から所定時間が経過した時点で当り図柄を停止表示させ（Ｓ１１８）、Ｓ１２０に進む。一方、大当り遊技の終了直前である場合には（Ｓ１１５において「ＹＥＳ」）、大当り遊技の終了時点で強制的に当り図柄を停止表示させ（Ｓ１１９）、Ｓ１２０に進む。
【００６３】
そして、電動チューリップ拡大アクチュエータ１７ａを駆動して電動チューリップ１７の入り口を拡大させ（Ｓ１２０）、拡大させてから所定時間経過した時点で、電動チューリップ拡大アクチュエータ１７ａの駆動を終了して電動チューリップ１７の入り口を縮小させる（Ｓ１３２）。そして、第１実施例のＳ４０乃至Ｓ５４の処理を行い（Ｓ１４０）、Ｓ１１０に戻って処理を繰り返す。
【００６４】
一方、抽選の結果はずれが選択された場合には（Ｓ１１４において「ＮＯ」）、大当り遊技の終了直前であるか否かを判断する（Ｓ１３０）。そして、大当り遊技の終了直前でない場合には（Ｓ１３０において「ＮＯ」）、普通図柄の変動表示を開始した時点から所定時間が経過した時点ではずれ図柄を停止表示させ（Ｓ１３４）、Ｓ１４０に進む。一方、大当り遊技の終了直前である場合には（Ｓ１３０において「ＹＥＳ」）、大当り遊技の終了時点で強制的にはずれ図柄を停止表示させ（Ｓ１３５）、Ｓ１４０に進む。
【００６５】
又、通過記憶がない、即ち、通過記憶カウンタの値が０である場合には（Ｓ１１０において「ＮＯ」）、Ｓ１１２乃至Ｓ１３５の処理を行わずにＳ１４０に進む。
続いて、本実施例のパチンコ遊技機において実際に遊技を行った場合の具体的な動作態様について説明する。
【００６６】
遊技者が遊技を開始して、パチンコ球が普通図柄始動ゲート１１を通過して通過記憶カウンタの値が正になると、Ｓ１１０において「ＹＥＳ」となり、Ｓ１１２において普通図柄の変動表示が開始され、Ｓ１１３においてパチンコ球が通過したタイミング等に基づいて当り抽選が行われる。そして、抽選の結果はずれとなった場合には、Ｓ１１４において「ＮＯ」となり、大当り遊技中ではないので、Ｓ１３０において「ＮＯ」となり、Ｓ１３４において普通図柄の変動表示の開始時点から所定時間が経過した時点ではずれ図柄が停止表示される。一方、抽選の結果当りとなった場合には、Ｓ１１４において「ＹＥＳ」となり、大当り遊技中ではないので、Ｓ１１５において「ＮＯ」となり、Ｓ１１８において普通図柄の変動表示の開始時点から所定時間が経過した時点で当り図柄が停止表示され、電動チューリップ１７の入り口が所定時間だけ拡大する。
【００６７】
そして、大当り遊技の終了直前に普通図柄の変動表示が行われている場合には、Ｓ１１５又はＳ１３０において「ＹＥＳ」となるので、大当り遊技の終了時点で当り図柄又ははずれ図柄が停止表示される（Ｓ１１９又はＳ１３５）（図５に示すタイミングチャート参照）。
【００６８】
尚、本実施例において、フローチャートのＳ１１３の処理が前述の第１当り抽選手段の作用に相当し、Ｓ１１８，Ｓ１１９，Ｓ１３４及びＳ１３５の処理が前述の第１図柄表示指令手段の作用に相当し、Ｓ１１５，Ｓ１１９，Ｓ１３０及びＳ１３５の処理が前述の変動表示強制停止指令手段の作用に相当する。
【００６９】
続いて、本実施例のパチンコ遊技機の効果について説明する。
本実施例のパチンコ遊技機１は、大当り遊技の終了時点において普通図柄表示装置１５に普通図柄が変動表示されていると、当り図柄又ははずれ図柄を強制的に停止表示させる様に構成されているので、普通図柄表示装置１５に関わる遊技設定（Ｓ１１３の当り抽選において当りが選択される確率及び普通図柄が変動表示される時間）は、実質的に、大当り遊技の終了直後の時点（厳密には若干の時間が経過した後の時点）で変更される（図５に示すタイミングチャート参照）。従って、普通図柄表示装置１５に関わる遊技設定が変更される時期（Ｓ１１３の当り抽選において当りが選択される確率が高くなると共に普通図柄が変動表示される時間が短くなる時期）と特別図柄表示装置１９に関わる遊技設定が変更される時期（Ｓ４２の大当り抽選において大当りが選択される確率が高くなると共に特別図柄が変動表示される時間が短くなる時期）とを略一致させることができるので、大当り遊技終了後、特別図柄表示装置１９に特別図柄が変動表示された時点でパチンコ球を発射すれば、不利益を被ることはない。従って、遊技者に不公平感を抱かせることがないので、遊技意欲を減退させてしまうおそれもない。
【００７０】
以上、本発明の実施例について説明したが、本発明は前述した実施例に何等限定されるものではなく、更に種々の態様において実施しても良いことはもちろんである。
例えば、第２実施例では、大当り遊技の終了時点において普通図柄が変動表示されている場合、大当り遊技の終了時点において当り図柄又ははずれ図柄を強制的に停止表示させることにより、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）とを略一致させる様に構成されているが、例えば大入賞口の開口動作が終了した時点において当り図柄又ははずれ図柄を強制的に停止表示させた後、特別図柄表示装置１９における特別図柄の変動表示の開始に同期して普通図柄表示装置１５における普通図柄の変動表示を開始させる様に構成されていると良い。ここで、当り図柄又ははずれ図柄を強制的に停止させる時期は、大入賞口の開口動作が終了した時点でなくても良いが、特別図柄表示装置１９における特別図柄の変動表示の開始時点よりも０．５秒間以上前であることが好ましい。停止表示させた直後に変動表示を開始させると、停止表示させた図柄を視認することができないからである。尚、この処理は前述の第１図柄変動開始第１同期手段に相当する。この様に構成されている場合には、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）とを完全に一致させることができるので、更に良い。
【００７１】
又、第２実施例では、大当り遊技の終了時点において普通図柄が変動表示されている場合、大当り遊技の終了時点において当り図柄又ははずれ図柄を強制的に停止表示させることにより、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）とを略一致させる様に構成されているが、大当り遊技の終了時点において普通図柄が変動表示されている場合、停止表示を行うことなく変動表示を終了させる、即ち、この変動表示にかかる当り抽選を無効にする様に構成されていても良い。尚、この処理は前述の第１変動強制終了指令手段の作用に相当する。この様に構成されている場合にも、第２実施例と同様の効果を得ることができる。但し、遊技者が若干損害を被るので、何らかの補償を行う必要がある。又、この様に構成されている場合に、更に、当り図柄又ははずれ図柄を強制的に停止表示させた後、特別図柄表示装置１９における特別図柄の変動表示の開始に同期して普通図柄表示装置１５における普通図柄の変動表示を開始させる様に構成されていても良い。尚、この処理は前述の第１図柄変動開始第２同期手段に相当する。この様に構成されている場合には、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）とを完全に一致させることができるので、更に良い。
【００７２】
又、第１実施例及び第２実施例では、普通図柄表示装置１５に関わる遊技設定が変更される時期（当り抽選において当りが選択される確率が高くなると共に普通図柄が変動表示される時間が短くなる時期）を調整することにより、特別図柄表示装置１９に関わる遊技設定が変更される時期（大当り抽選において大当りが選択される確率が高くなると共に特別図柄が変動表示される時間が短くなる時期）と一致させる様に構成されているが、大当り遊技の終了時点において普通図柄表示装置１５に普通図柄が変動表示されている場合には普通図柄の停止表示が行われた後、普通図柄表示装置１５における次の変動表示の開始に同期して特別図柄表示装置における特別図柄の変動表示を開始させる様に構成されていても良い。尚、この処理は前述の第２図柄変動開始同期手段の作用に相当する。この様に構成されている場合にも、第１実施例及び第２実施例と同様の効果を得ることができる。更にこの場合、普通図柄表示装置にて普通図柄の変動表示が開始されてから所定微小時間（例えば０．５秒間）が経過する前に大当り遊技が終了する場合には、普通図柄の変動開始時点又は大当り遊技の終了時点から所定時間（例えば１秒間）が経過した時点において当り図柄又ははずれ図柄を強制的に停止表示させる様に構成されていても良い。尚、この処理は前述の第２変動強制停止指令手段の作用に相当する。
【００７３】
又、第１実施例及び第２実施例では、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）とを一致させた上で、当り抽選において当りが選択される確率及び大当り抽選において大当りが選択される確率が高くなった旨及び普通図柄が変動表示される時間及び特別図柄が変動表示される時間が短くなった旨を遊技者に報知する様に構成されているが、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）とを一致させることなく、普通図柄表示装置１５に関わる遊技設定（当り抽選において当りが選択される確率及び普通図柄が変動表示される時間）が変更された後、普通図柄表示装置１５に普通図柄の変動表示が開始された時点で、普通図柄表示装置１５に関わる遊技設定（当り抽選において当りが選択される確率及び普通図柄が変動表示される時間）が変更された旨を報知し、特別図柄表示装置１９に関わる遊技設定（大当り抽選において大当りが選択される確率及び特別図柄が変動表示される時間）が変更された後、特別図柄表示装置１９に特別図柄の変動表示が開始された時点で、特別図柄表示装置１５に関わる遊技設定（大当り抽選において当りが選択される確率及び特別図柄が変動表示される時間）が変更された旨を報知する、即ち、２つの報知を独立して行う様に構成されていても良い。この様に構成されている場合には、普通図柄表示装置１５に関わる遊技設定が変更される時期（当り抽選において当りが選択される確率が高くなると共に普通図柄が変動表示される時間が短くなる時期）と特別図柄表示装置１９に関わる遊技設定が変更される時期（大当り抽選において大当りが選択される確率が高くなると共に特別図柄が変動表示される時間が短くなる時期）との間に数秒間乃至十数秒間のずれがあっても、遊技者は、報知内容に従って適切な時期からパチンコ球を発射することができる。
【００７４】
又、第１実施例及び第２実施例では、普通図柄表示装置１５に普通図柄を変動表示させてから、普通図柄始動ゲート通過センサ１１ｓ，１３ｓによる検出タイミング等に基づいて当り抽選を行う様に構成されているが、この当り抽選は、普通図柄始動ゲート通過センサ１１ｓ，１３ｓによりパチンコ球の通過が検出された時点において、検出タイミングに基づいて乱数を取得し、普通図柄変動表示装置１５における普通図柄の変動表示の開始時点以後の時点（例えば変動表示の開始直後の時点）において、乱数と予め設定されている当り値とを比較して当りか否かを判断する様に構成されていても良いし、普通図柄変動表示装置１５における普通図柄の変動表示の開始時点以降の時点で乱数を取得すると共に当りか否かを判断する様に構成されていても良い。同様に、第１実施例及び第２実施例では、電動チューリップ入賞センサ１７ｓによる検出タイミングに基づいて大当り抽選を行った後で特別図柄を変動表示させる様に構成されているが、この大当り抽選は、電動チューリップ入賞センサ１７ｓによりパチンコ球の入賞が検出された時点において、検出タイミングに基づいて乱数を取得し、特別図柄変動表示装置１９における特別図柄の変動表示の開始時点以後の時点（例えば変動表示の開始直後の時点）において、乱数と予め設定されている大当り値とを比較して大当りか否かを判断する様に構成されていても良いし、特別図柄変動表示装置１９における特別図柄の変動表示の開始時点以降の時点で乱数を取得すると共に大当りか否かを判断する様に構成されていても良い。
【図面の簡単な説明】
【図１】  実施例のパチンコ遊技機の構成を説明するための正面図である。
【図２】  パチンコ遊技機の主要部分の回路構成を説明するためのブロック図である。
【図３】  第１実施例においてマイクロコンピュータが行う処理の流れを説明するためのフローチャートである。
【図４】  第２実施例においてマイクロコンピュータが行う処理の流れを説明するためのフローチャートである。
【図５】  普通図柄表示装置と特別図柄表示措置の動作とにおける図柄の変動表示及び停止表示のタイミングを説明するためのタイミングチャートである。
【符号の説明】
１…パチンコ遊技機    １１，１３…普通図柄始動ゲート    １１ｓ，１３ｓ…普通図柄始動ゲート通過センサ    １５…普通図柄表示装置    １７…電動チューリップ    １７ａ…電動チューリップ拡大アクチュエータ    １７ｓ…電動チューリップ入賞センサ    １９…特別図柄表示装置    ２１…大入賞口
２１ａ…大入賞口開口アクチュエータ    ２１ｓ…大入賞口入賞センサ    ３０…マイクロコンピュータ    ３１…ＣＰＵ    ３３…ＲＯＭ    ３５…ＲＡＭ
３７…入出力Ｉ／Ｆ。
【図１】
0004538905.tif 000002
【図２】
0004538905.tif 000003
【図３】
0004538905.tif 000004
【図４】
0004538905.tif 000005
【図５】
0004538905.tif 000006